(57)【要約】【課題】複数のリフィルの中から選択した１つのリフィルについて、筆記状態と非筆記状態とを簡単且つ確実に切り替えることができる多芯式筆記具を提供する。【解決手段】多芯式筆記具１が、軸筒２と、軸筒２内に移動可能に配置された複数の筆記体６と、軸筒２の側面に設けられた複数の押圧部材１０と、筆記体６の各々と軸線方向に係合して対応する筆記体６の移動を規制する複数の係合部３５と、押圧部材１０に対応する軸筒２の中心軸線近傍に配置された第１弾性部材７０と、を具備し、押圧部材１０を径方向に押圧すると、係合部３５の係合が解除されて対応する筆記体６が重力によって移動可能となると共に第１弾性部材７０が径方向に圧縮され、押圧を解放すると、第１弾性部材７０の復元力によって係合部３５が筆記体６と係合する。【選択図】図５
2017087642.tif 000002
【特許請求の範囲】
【請求項１】
軸筒と、該軸筒内に移動可能に配置された複数の筆記体と、前記軸筒の側面に設けられた複数の押圧部材と、前記筆記体の各々と軸線方向に係合して対応する該筆記体の移動を規制する複数の係合部と、前記押圧部材に対応する前記軸筒の中心軸線近傍に配置された第１弾性部材と、を具備する多芯式筆記具であって、
前記押圧部材を径方向に押圧すると、前記係合部の係合が解除されて対応する前記筆記体が重力によって移動可能となると共に前記第１弾性部材が径方向に圧縮され、前記押圧を解放すると、前記第１弾性部材の復元力によって前記係合部が前記筆記体と係合することを特徴とする多芯式筆記具。
【請求項２】
筒状に形成された複数の係合部材をさらに具備し、前記係合部が前記係合部材の内面に設けられていることを特徴とする請求項１に記載の多芯式筆記具。
【請求項３】
前記第１弾性部材が、球形であることを特徴とする請求項１又は２に記載の多芯式筆記具。
【請求項４】
前記押圧の解放による、前記押圧部材の復帰を助力する第２弾性部材をさらに具備することを特徴とする請求項１乃至３のいずれか一項に記載の多芯式筆記具。
【請求項５】
前記第２弾性部材が、薄板平板からなるドーム状のスプリングであることを特徴とする請求項４に記載の多芯式筆記具。
【発明の詳細な説明】
【技術分野】
【０００１】
本発明は、複数の交換可能なリフィルを備える多芯式筆記具に関する。
【背景技術】
【０００２】
筆記体（リフィル）の自重を利用して、ペン先である筆記部が軸筒の先端から突出した筆記状態と筆記部が軸筒内に没入した非筆記状態とを切り替え可能な筆記具が公知である（特許文献１）。
【０００３】
特許文献１の第１実施形態及び第２実施形態による筆記具では、リフィルを包囲する板バネ等の弾性部材の弾性力を利用してリフィルを挟持している。したがって、弾性部材の弾性力に抗して押圧部材を軸筒の径方向内方に向かって押圧することによってリフィルの挟持を解除し、筆記状態と非筆記状態との切り替えが可能となる。押圧部材の押圧を解放すると、押圧部材は、弾性部材の弾性力によって元の位置に復帰する。
【０００４】
特許文献１の第３実施形態による筆記具では、押圧部材に取り付けられたリング状の係合部材が、リフィルに形成された２つの段部のいずれか一方と係合している。すなわち、第３実施形態による筆記具では、第１実施形態及び第２実施形態による筆記具と異なり、リフィルは挟持ではなく係合によって、筆記状態又は非筆記状態が維持される。軸筒内において、押圧部材の前方には、傾斜面を有し且つスプリングによって後方に付勢されたスライド片が配置されている。
【０００５】
したがって、スライド片の傾斜面を介したスプリングの付勢力に抗して押圧部材を軸筒の径方向内方に向かって押圧することによってリフィルとの係合を解除し、筆記状態と非筆記状態との切り替えが可能となる。押圧部材の押圧を解放すると、押圧部材は、スライド片の傾斜面を介したスプリングの付勢力によって元の位置に復帰する。
【先行技術文献】
【特許文献】
【０００６】
【特許文献１】実開平４−５０２８３号公報
【発明の概要】
【発明が解決しようとする課題】
【０００７】
特許文献１の第１実施形態及び第２実施形態による筆記具では、弾性部材の弾性力による挟持でリフィルの移動を制止する必要があることから、意図しない移動を防止するため強い弾性力が必要となる。その結果、筆記状態と非筆記状態との切り替え時には、挟持を解除するために押圧部材に大きな力を加えなければならない。
【０００８】
特許文献１の第３実施形態による筆記具では、押圧部材が、その後端が軸筒に取り付けられて後端を中心に回動することから、係合部材は円弧状の軌道を描き、リフィルの段部との係合が解除されにくい。また、押圧部材の復帰の際に、スプリングの付勢方向と押圧部材の復帰方向とが直交していることから、押圧部材の前端がスライド片の傾斜面に沿って滑らかにスライドしない場合には、付勢力が押圧部材にうまく伝達せず、押圧部材が復帰の途中で停止してしまう場合がある。すなわち、押圧部材は、元の位置に復帰する直前の位置又は復帰した位置では、スプリングの付勢力が作用しない。その結果、係合部材とリフィルとが係合せず、筆記状態と非筆記状態とを切り替えることができない。
【０００９】
さらに、特許文献１のいずれの実施形態による筆記具も、単一のリフィルのみを収容可能な筆記具であって多芯式筆記具ではない。すなわち、特許文献１に記載の筆記具の構成を、複数のリフィルを備える多芯式筆記具に適用することはできない。
【００１０】
本発明は、複数のリフィルの中から選択した１つのリフィルについて、筆記状態と非筆記状態とを簡単且つ確実に切り替えることができる多芯式筆記具を提供する。
【課題を解決するための手段】
【００１１】
本発明の一態様によれば、軸筒と、該軸筒内に移動可能に配置された複数の筆記体と、前記軸筒の側面に設けられた複数の押圧部材と、前記筆記体の各々と軸線方向に係合して対応する該筆記体の移動を規制する複数の係合部と、前記押圧部材に対応する前記軸筒の中心軸線近傍に配置された第１弾性部材と、を具備する多芯式筆記具であって、前記押圧部材を径方向に押圧すると、前記係合部の係合が解除されて対応する前記筆記体が重力によって移動可能となると共に前記第１弾性部材が径方向に圧縮され、前記押圧を解放すると、前記第１弾性部材の復元力によって前記係合部が前記筆記体と係合することを特徴とする多芯式筆記具が提供される。
【００１２】
また、別の態様によれば、筒状に形成された複数の係合部材をさらに具備し、前記係合部が前記係合部材の内面に設けられていることを特徴とする多芯式筆記具が提供される。
【００１３】
また、別の態様によれば、前記第１弾性部材が、球形であることを特徴とする多芯式筆記具が提供される。
【００１４】
また、別の態様によれば、前記押圧の解放による、前記押圧部材の復帰を助力する第２弾性部材をさらに具備することを特徴とする多芯式筆記具が提供される。
【００１５】
また、別の態様によれば、前記第２弾性部材が、薄板平板からなるドーム状のスプリングであることを特徴とする多芯式筆記具が提供される。
【発明の効果】
【００１６】
本発明の態様によれば、複数のリフィルの中から選択した１つのリフィルについて、筆記状態と非筆記状態とを簡単且つ確実に切り替えることができるという共通の効果を奏する。
【図面の簡単な説明】
【００１７】
【図１】本発明の実施形態による多芯式筆記具の筆記状態の側面図である。
【図２】図１の多芯式筆記具において後軸を省略した斜視図である。
【図３】図１の多芯式筆記具の筆記状態の縦断面図である。
【図４】図１の多芯式筆記具の非筆記状態の縦断面図である。
【図５】図１の多芯式筆記具の拡大縦断面図である。
【図６】図５の線Ｘ−Ｘにおける断面図である。
【図７】後軸の縦断面図である。
【図８】スイッチの斜視図である。
【図９】スイッチの縦断面図である。
【図１０】位置決め部材の斜視図である。
【図１１】位置決め部材の背面図である。
【図１２】係合部材の斜視図である。
【図１３】係合部材の縦断面図である。
【図１４】スプリング保持部材の斜視図である。
【図１５】スプリング保持部材の縦断面図である。
【図１６】錘部材の縦断面図である。
【図１７】係合杆の側面図である。
【図１８】図１の多芯式筆記具の非筆記状態と筆記状態との切り替えを説明する拡大縦断面図である。
【発明を実施するための形態】
【００１８】
以下、図面を参照しながら本発明の実施の形態を詳細に説明する。全図面に渡り、対応する構成要素には共通の参照符号を付す。
【００１９】
図１は、本発明の実施形態による多芯式筆記具の筆記状態の側面図であり、図２は、図１の多芯式筆記具において後軸を省略した斜視図であり、図３は、図１の多芯式筆記具の筆記状態の縦断面図であり、図４は、図１の多芯式筆記具の非筆記状態の縦断面図である。
【００２０】
多芯式筆記具１は、軸筒２と、クリップ部材３とを有している。軸筒２は、円筒状の前軸４と、前軸４の後端部にその前端部が圧入される円筒状の後軸５とを有している。軸筒２内には、筆記体として複数のリフィル６が、前後に移動可能、すなわち往復動可能に収容されている。なお、本実施形態では、３本のリフィル６が収容されている。前軸４の先端には孔が形成され、選択されたリフィル６先端の筆記部６ａが出没可能である。すなわち、多芯式筆記具１は、いずれかの筆記部６ａが軸筒２の先端から突出した筆記状態（図３）と、すべての筆記部６ａが軸筒２内に没入した非筆記状態（図４）とを切り替え可能である。なお、本明細書中では、多芯式筆記具１の軸線方向において、筆記部６ａ側を「前」側と規定し、筆記部６ａとは反対側を「後」側と規定する。
【００２１】
図５は、図１の多芯式筆記具１の拡大縦断面図であり、図６は、図５の線Ｘ−Ｘにおける断面図である。多芯式筆記具１は、押圧部材であるスイッチ１０と、位置決め部材２０と、係合部材３０と、スプリング保持部材４０と、錘部材５０と、係合杆６０と、第１弾性部材７０と、第２弾性部材８０とを有している。以下、図５及び図６並びに対応する図面を参照しながら、各構成について詳述する。
【００２２】
図７は、後軸５の縦断面図である。図７において、左が多芯式筆記具１の前側で、右が多芯式筆記具１の後側である。後軸５の側面には、リフィル６の数に対応して、３つのスイッチ１０をそれぞれ受容する略楕円形の３つの取付穴５ａが形成されている。取付穴５ａの後方の後軸５の内面には、隔壁５ｂが周方向に沿って環状に設けられている。隔壁５ｂによって、貫通孔５ｃが画成されている。隔壁５ｂの前端面には、２つの突起状の回転止め５ｄが対向して形成されている。隔壁５ｂより後方の後軸５の内部には、３つの錘部材５０が配置される。隔壁５ｂより後方の後軸５の内面には、錘部材５０の各々を周方向に離間させ且つ軸線方向に沿って案内するために、軸線方向に延在する３つのガイド壁５ｅが形成されている。
【００２３】
図８は、スイッチ１０の斜視図であり、図９は、スイッチ１０の縦断面図である。多芯式筆記具１は、リフィル６の数に対応して、３つのスイッチ１０を有している。スイッチ１０は、略楕円柱状に形成されたスイッチ本体１１と、スイッチ本体１１の上面に位置して使用者が押圧する押圧面１２と、スイッチ本体１１の下面に位置して円柱状に形成された第１突起部１３及び第２突起部１４とを有する。組み立て時において、第１突起部１３は、多芯式筆記具１の前側に配置され、第２突起部１４は、多芯式筆記具１の後側に配置される。第１突起部１３及び第２突起部１４間のスイッチ本体１１の下面には、凹部１５が形成されている。スイッチ１０は、例えばポリカーボネート樹脂等といった比較的硬質の樹脂材料から一体的に形成される。
【００２４】
図１０は、位置決め部材２０の斜視図であり、図１１は、位置決め部材２０の背面図である。位置決め部材２０は、互いに平行な両端面を有する円筒状の部材である。位置決め部材２０の外径は、後軸５の外径よりも僅かばかり小さく設定される。位置決め部材２０には、リフィル６の数に対応して、後端面から前方に向かって矩形に切り欠かれた３つの切り欠き部２１が形成されている。切り欠かれずに残った部分は、後方に向かって突出する３つの角部（ツノ部）２２を形成する。言い換えると、３つの角部２２によって、切り欠き部２１が画成されている。周方向において対向する切り欠き部２１の端面２１ａは、互いに平行である。
【００２５】
図１２は、係合部材３０の斜視図であり、図１３は、係合部材３０の縦断面図である。多芯式筆記具１は、リフィル６の数に対応して、３つの係合部材３０を有している。係合部材３０は、図１３において、左が多芯式筆記具１の前側で右が多芯式筆記具１の後側となるように軸筒２内に配置される。詳細には、３つの係合部材３０は、位置決め部材２０の３つの切り欠き部２１内にそれぞれ配置される。したがって、係合部材３０の全長は、位置決め部材２０の切り欠き部２１の深さ、すなわち軸線方向の長さよりも僅かばかり短く設定される。なお、係合部材３０は、対称的な形状のため、前後の配置を逆にしてもよい。
【００２６】
係合部材３０は、互いに平行な両端面を有し且つ円筒の内面形状を有する筒状に形成されている。組み立て時において、軸筒２の内面に対向する係合部材３０の外周面の部分は、比較的曲率の大きな円筒面状の外面３１を形成する。外面３１は、位置決め部材２０の外周面と、略同一の曲率を有する。外面３１に隣接する両側の外周面の部分は、平坦且つ互いに平行に形成された側面３２を形成する。２つの側面３２間の距離は、位置決め部材２０の１つの切り欠き部２１を画成する２つの端面２１ａ間の距離よりも僅かばかり小さく設定される。したがって、位置決め部材２０の端面２１ａと係合部材３０の側面３２とが僅かばかりの隙間を有しつつ対向するように、係合部材３０を切り欠き部２１内に配置することが可能となる。このとき、係合部材３０の外面３１は、位置決め部材２０の外周面と面一となる。
【００２７】
外面３１の中央部分には、円形の貫通孔３３が形成されている。貫通孔３３には、スイッチ１０の第１突起部１３が挿入される。外面３１の貫通孔３３と軸対称の外面の部分には、球面状の凹部３４が形成されている。凹部３４の球面部分の曲率は、後述する球形の第１弾性部材７０が嵌合ように設定される。凹部３４が形成された部分の内面には、上面が平坦な突起状の係合部３５が形成されている。係合部材３０は、例えばポリカーボネート樹脂等といった比較的硬質の樹脂材料から一体的に形成される。
【００２８】
図１４は、スプリング保持部材４０の斜視図であり、図１５は、スプリング保持部材４０の縦断面図である。スプリング保持部材４０は、図１５において、左が多芯式筆記具１の前側で右が多芯式筆記具１の後側となるように軸筒２内に配置される。スプリング保持部材４０は、互いに平行な両端面を有する円筒状の部材である。スプリング保持部材４０の外径は、後軸５の外径よりも僅かばかり小さく設定され、位置決め部材２０の外径と同一である。
【００２９】
スプリング保持部材４０には、後端面から前方に向かって微小な矩形に切り欠かれた２つの受容部４１が対向して形成されている。スプリング保持部材４０は、軸筒２内において、その前端面が位置決め部材２０の後端面に当接するように配置され、且つ、受容部４１の各々が後軸５の回転止め５ｄと嵌合するように配置される。スプリング保持部材４０の受容部４１が後軸５の回転止め５ｄと嵌合することによって、スプリング保持部材４０が軸筒２内で中心軸線回りに回転することを防止している。
【００３０】
スプリング保持部材４０の外周面には、リフィル６の数に対応して、３つの円形で浅い凹部４２が形成されている。凹部４２が形成された部分の内面には、平坦な平面４３が形成されている。スプリング保持部材４０は、例えばポリカーボネート樹脂等といった比較的硬質の樹脂材料から一体的に形成される。
【００３１】
図１６は、錘部材５０の縦断面図である。錘部材５０は、図１６において、左が多芯式筆記具１の前側で右が多芯式筆記具１の後側となるように軸筒２内に配置される。多芯式筆記具１は、リフィル６の数に対応して、３つの錘部材５０を有している。錘部材５０は、リフィル６の数に対応して分割された扇形の横断面形状を有する（図２）、柱状の中実部材である。錘部材５０の各々は、後軸５の隔壁５ｂによって隔てられた後方の空間において、３つのガイド壁５ｅ間に配置される。錘部材５０は、多芯式筆記具１の姿勢に応じて、すなわち重力の作用する方向に向かって前後に移動する錘の役割を果たす。錘部材５０の前端面には、円形の挿入穴５１が形成されている。錘部材５０は、アルミニウムや真鍮等の金属材料から形成される。
【００３２】
図１７は、係合杆６０の側面図である。係合杆６０は、図１７において、左が多芯式筆記具１の前側で右が多芯式筆記具１の後側となるように軸筒２内に配置される。多芯式筆記具１は、リフィル６の数に対応して、３つの係合杆６０を有している。係合杆６０は、全体として棒状の部材であり、係合杆本体６１を有する。係合杆６０の前端部及び後端部は、係合杆本体６１において小径に形成されている。すなわち、係合杆６０の前端部には、管状のリフィル６の後端部に挿入されて嵌合するリフィル嵌合部６２が形成されている。係合杆６０の後端部には、錘部材５０の挿入穴５１内に挿入されて嵌合する挿入部６３が形成されている。係合杆６０によって、リフィル６及び錘部材５０が一体的に接続される。
【００３３】
係合杆本体６１には、軸線方向に沿って並列する２つの環状の凹部が形成されている。後述するように、前側に配置された凹部は、非筆記状態を維持するように係合部材３０の係合部３５と係合する非筆記維持凹部６４であり、後側に配置された凹部は、筆記状態を維持するように係合部材３０の係合部３５と係合する筆記維持凹部６５である。係合杆６０は、例えばポリカーボネート樹脂等といった比較的硬質の樹脂材料から一体的に形成されるが、アルミニウムや真鍮等の金属材料から形成してもよい。
【００３４】
第１弾性部材７０は、シリコーンゴム等のゴム材質又はポリエステル系エラストマー等の熱可塑性エラストマーといった弾性材料からなる球形の部材である。第１弾性部材７０は球形に形成されていることから、第１弾性部材７０をいずれの方向から圧縮して弾性変形させても、同一の復元力が得られる。多芯式筆記具１は、リフィル６の数に依存することなく、第１弾性部材７０を１つだけ有する。
【００３５】
多芯式筆記具１は、リフィル６の数に対応して、３つの第２弾性部材８０を有している。第２弾性部材８０の各々は、図５に示されるように、スプリング保持部材４０の凹部４２内に配置される。本実施形態では、第２弾性部材８０は、ドームスプリングである。ドームスプリングは、一枚の金属等の薄板平板からなる材料をドーム状に加工した弾性部材であり、ドームの頂点を押圧して弾性変形させると、それに応じた復元力が得られる。このドームスプリングは、例えば、株式会社アキュレイト製の金属製のドームスプリングである。第２弾性部材８０は、その他の弾性部材、例えばコイルスプリングや、シリコーンゴム等のゴム材質又はポリエステル系エラストマー等の熱可塑性エラストマーといった弾性材料を配置するようなものでもよい。
【００３６】
図３乃至図６、特に図５及び図６を参照しながら、多芯式筆記具１の各部材の関係について説明する。図５に示されるように、位置決め部材２０及びスプリング保持部材４０は、軸筒２内において、前軸４の後端面と、後軸５の隔壁５ｂの前端面との間で挟持されることによって固定される。上述したように、位置決め部材２０の３つの切り欠き部２１内には、それぞれ係合部材３０が配置される。それによって、３つの係合部材３０は、周方向に沿って等間隔に配置される。係合部材３０の全長が、位置決め部材２０の切り欠き部２１の軸線方向の長さよりも僅かばかり短いことから、係合部材３０の軸線方向の移動は、切り欠き部２１及びスプリング保持部材４０の後端面で規制されつつ、係合部材３０は径方向に移動可能である。
【００３７】
図６を参照すると、３つの係合部材３０は多芯式筆記具１の中心軸線の周囲に配置され、３つの係合部材３０の中心位置には、第１弾性部材７０が配置される。すなわち、第１弾性部材７０は、スイッチ１０の部分に対応する軸筒２の中心軸線近傍に配置される。より詳細には、第１弾性部材７０は、３つの係合部材３０の各凹部３４内に嵌り、３方向から支持されるように配置される。
【００３８】
図５に示されるように、３つのスイッチ１０は、後軸５の３つ取付穴５ａにそれぞれ配置される。このとき、スイッチ１０の第１突起部１３は、係合部材３０の貫通孔３３に挿入され、且つ、スイッチ１０の第２突起部１４は、スプリング保持部材４０の凹部４２内に配置された第２弾性部材８０に当接するように配置される。すなわち、スイッチ１０の第２突起部１４は、ドームスプリングのドーム状の頂点に配置される。一体的に接続された、リフィル６、係合杆６０及び錘部材５０は、後軸５の貫通孔５ｃ、スプリング保持部材４０、及び、位置決め部材２０、すなわち対応する係合部材３０を通って、軸筒２内に配置される。
【００３９】
スイッチ１０を押圧すると、第１突起部１３を介して係合部材３０が径方向内方に移動して第１弾性部材７０が弾性変形し、且つ、第２突起部１４によって第２弾性部材８０が弾性変形する。スイッチ１０の押圧を解放すると、第１弾性部材７０及び第２弾性部材８０の復元力によって、係合部材３０及びスイッチ１０は、それぞれ元の位置に復帰する。スイッチ１０が凹部１５を有することによって、スプリング保持部材４０と干渉することなく、スイッチ１０の押圧が可能となる。
【００４０】
スイッチ１０が押圧されていない場合には、第１弾性部材７０は弾性変形をしていないか又は僅かに弾性変形をしてスイッチ１０を付勢している。すなわち、係合部材３０は、多芯式筆記具１の軸筒２内において径方向外方側に寄って位置している。このとき、係合部材３０の係合部３５は、係合杆６０に形成された２つの凹部内、すなわち、非筆記維持凹部６４内又は筆記維持凹部６５内のいずれか一方に配置される。したがって、係合部材３０の係合部３５と係合杆６０の被係合部である凹部とが軸線方向に係合し、リフィル６の前後移動を規制し、非筆記状態又は筆記状態が維持される。
【００４１】
他方、スイッチ１０を押圧すると、上述したように、係合部材３０が径方向内方に移動することによって第１突起部１３が第１弾性部材７０を押圧し、第１弾性部材７０が径方向に弾性変形する。その結果、係合部材３０の係合部３５が径方向内方に移動することによって、係合部３５によって阻害されていた経路が開放され、リフィル６を前後に移動させることができるようになる。
【００４２】
図１８は、図１の多芯式筆記具１の非筆記状態と筆記状態との切り替えを説明する拡大縦断面図である。図１８（Ａ）は、多芯式筆記具１の非筆記状態を示しており、図５に示された多芯式筆記具１と同じ状態を示している。すなわち、図１８（Ａ）では、係合部材３０の係合部３５が、非筆記維持凹部６４内に配置されている。
【００４３】
図１８（Ｂ）は、スイッチ１０を押圧している状態を示している。すなわち、係合部材３０の径方向の移動によって、係合部３５は、係合杆６０の非筆記維持凹部６４との係合が解除されるまで、径方向内方に移動する。その結果、係合杆６０は、軸筒２内を前後方向に自由に移動可能となる。すなわち、スイッチ１０を押圧しながら多芯式筆記具１の姿勢を変えると、一体的に接続された、リフィル６、係合杆６０及び錘部材５０に作用する重力、すなわち自重によって、係合杆６０が軸筒２内を前方又は後方へ移動する。
【００４４】
使用者が、スイッチ１０を押圧しながら前端が下方を向くように多芯式筆記具１を把持すると、係合杆６０は重力によって前方へ移動する。係合杆６０の前方への移動は、錘部材５０と後軸５の隔壁５ｂとの当接によって規制される。このときにスイッチ１０の押圧を解放すると、第１弾性部材７０の復元力によって係合部材３０が径方向に移動し、図１８（Ｃ）に示されるように、係合部３５が係合杆６０の筆記維持凹部６５内に配置される。その結果、係合部材３０と係合杆６０とが係合し、筆記状態が維持される。
【００４５】
他方、使用者が、スイッチ１０を押圧することによって係合部３５と係合杆６０の筆記維持凹部６５との係合を解除させながら、前端が上方を向くように多芯式筆記具１を把持すると、係合杆６０は重力によって後方へ移動する。係合杆６０の後方への移動は、錘部材５０と後軸５の後端部に挿入されたクリップ部材３の部分との当接によって規制される。このときにスイッチ１０の押圧を解放すると、第１弾性部材７０の復元力によって係合部材３０が径方向に移動し、図１８（Ａ）に示されるように、係合部３５が係合杆６０の非筆記維持凹部６４内に配置される。その結果、係合部材３０と係合杆６０とが係合し、非筆記状態が維持される。
【００４６】
本発明によれば、係合部材３０の係合部３５と係合杆６０の非筆記維持凹部６４又は筆記維持凹部６５との係合が、スイッチ１０の押圧による係合部材３０の径方向内方への移動によって解除されることから、筆記状態と非筆記状態とを簡単且つ確実に切り替えることができる。さらに、係合部材３０の係合部３５は、係合杆６０の非筆記維持凹部６４内又は筆記維持凹部６５内に配置された状態で、前後方向に適度なクリアランスがあることから、スイッチ１０の押圧操作を阻害することはない。また、リフィル６、係合杆６０及び錘部材５０が一体的に接続されており、錘部材５０が錘の役割を果たしていることから、スムーズで安定的に動作し、筆記状態と非筆記状態とを確実に切り替えることができる。
【００４７】
筆記しようと選択したリフィル６に対応するスイッチ１０を押圧すると、係合部材３０を介して第１弾性部材７０が押圧される。第１弾性部材７０の移動は、選択されなかった他の２つのリフィル６に対応する係合部材３０によって規制される。すなわち、他の２つの係合部材３０及びスイッチ１０はこれ以上径方向外方に移動できないことから、結果として、上述したように、第１弾性部材７０は弾性変形する。言い換えると、選択したいずれか１つのスイッチ１０を押圧する間は、他のスイッチ１０は逆方向の力を受けることから、他のスイッチ１０を径方向内方へ移動させることができない。したがって、多芯式筆記具１において、選択したスイッチ１０のみを確実に押圧することができ、複数のリフィル６の中から選択した１つのリフィル６について、筆記状態と非筆記状態とを簡単且つ確実に切り替えることができる。
【００４８】
本発明によれば、係合部材３０と係合杆６０との係合及びその解除に必要な距離に相当するスイッチ１０の径方向のストロークを確保すればいいことから、従来品より細い外径の多芯式筆記具を実現することが可能となる。
【００４９】
本実施形態では、多芯式筆記具１は３本のリフィル６を有していたが、２本又は４本以上であってもよい。第１弾性部材７０は、周囲に配置された係合部材３０に対して等しい復元力を発生させる限りにおいて、球形以外のその他の形状、例えば軸線方向に沿って配置された円柱や多角柱であってもよい。
【００５０】
上述したように、スイッチ１０の押圧によって、第２弾性部材８０を、すなわち本実施形態ではドームスプリングを弾性変形させていることから、使用者は、短い押圧ストロークで確実なクリック感を感じることができ、心地よい操作感を得ることができる。第２弾性部材８０は、こうした心地よい操作感を得るため及びスイッチ１０の確実な復帰を支援するために用いられているが、省略してもよい。
【符号の説明】
【００５１】
１    多芯式筆記具
２    軸筒
４    前軸
５    後軸
６    リフィル
１０    スイッチ
２０    位置決め部材
３０    係合部材
３５    係合部
４０    スプリング保持部材
５０    錘部材
６０    係合杆
７０    第１弾性部材
８０    第２弾性部材
【図１】
2017087642.tif 000003
【図２】
2017087642.tif 000004
【図３】
2017087642.tif 000005
【図４】
2017087642.tif 000006
【図５】
2017087642.tif 000007
【図６】
2017087642.tif 000008
【図７】
2017087642.tif 000009
【図８】
2017087642.tif 000010
【図９】
2017087642.tif 000011
【図１０】
2017087642.tif 000012
【図１１】
2017087642.tif 000013
【図１２】
2017087642.tif 000014
【図１３】
2017087642.tif 000015
【図１４】
2017087642.tif 000016
【図１５】
2017087642.tif 000017
【図１６】
2017087642.tif 000018
【図１７】
2017087642.tif 000019
【図１８】
2017087642.tif 000020